(57)【特許請求の範囲】
【請求項１】
第１網に接続されて前記第１網で使用される第１端末機と、
共有ストレージと前記第１端末機との間に位置してデータを統制または送受信する第１網連携サーバーと、
前記第１網から独立している第２網に接続されて前記第２網で使用される第２端末機と、
前記共有ストレージと前記第２端末機との間に位置してデータを統制又は送受信する第２網連携サーバーと、
一つの記憶空間が前記第１網連携サーバー及び前記第２網連携サーバーにより共有される共有ストレージと、
を含み、
前記共有ストレージは、前記第１網連携サーバーと前記第２網連携サーバーとの読み取り及び書き込みの権限が異なる少なくとも２つのボリュームで構成され、
前記第２網連携サーバーと前記共有ストレージ間、または前記共有ストレージと前記第１網連携サーバー間のデータの送受信は、前記第１網内で使用されるプロトコルおよび前記第２網内で使用されるプロトコルとは異なる専用転送プロトコルを使用し、
前記第１網連携サーバーは、前記第１端末機におけるクリップボードの内容を前記共有ストレージに書き込み、
前記第２網連携サーバーは、前記第２端末機におけるクリップボードの内容を前記共有ストレージに書き込み、
前記クリップボードの内容は、コピーを行う側の前記共有ストレージのボリュームにのみ記憶される、独立した網間のデータ共有のための網連携システム。
【請求項２】
前記第１端末機が受信したメールをｅｍｌファイル（ａ）に変換して前記第１網連携サーバーへ伝送する第１網メールサーバーと、
前記第２端末機が発信するメールをｅｍｌファイル（ｂ）に変換及び保存して前記第２網連携サーバーへ伝送する第２網メールサーバーと、
をさらに含むことを特徴とする、請求項１に記載の独立した網間のデータ共有のための網連携システム。
【請求項３】
前記第１網メールサーバーは、前記受信したメールのうち、既に指定されたメールのみを前記第１網連携サーバーへ伝送することを特徴とする、請求項２に記載の独立した網間のデータ共有のための網連携システム。
【請求項４】
前記第１網連携サーバーは、前記ｅｍｌファイル（ａ）を前記第２網連携サーバーへ伝送し、
前記第２網連携サーバーは、ＳＭＴＰ(Simple Mail Transfer Protocol)を用いて前記ｅｍｌファイル（ａ）を前記第２網メールサーバーへ伝送することを特徴とする、請求項３に記載の独立した網間のデータ共有のための網連携システム。
【請求項５】
前記第１網メールサーバーは、前記ｅｍｌファイル（ａ）のレンダリングイメージをＰＤＦファイルに変換し、前記ＰＤＦファイルを前記ｅｍｌファイル（ａ）に添付して前記第１網連携サーバーへ一緒に伝送することを特徴とする、請求項４に記載の独立した網間のデータ共有のための網連携システム。
【請求項６】
前記第２網連携サーバーは、前記ｅｍｌファイル（ｂ）を前記第１網連携サーバーへ伝送し、
前記第１網連携サーバーは、ＳＭＴＰを用いて前記ｅｍｌファイル（ｂ）を前記第１網メールサーバーへ伝送することを特徴とする、請求項２に記載の独立した網間のデータ共有のための網連携システム。
【請求項７】
前記第２網メールサーバーは、前記ｅｍｌファイル（ｂ）のレンダリングイメージをＰＤＦファイルに変換し、前記ＰＤＦファイルを前記ｅｍｌファイル（ｂ）に添付して前記第２網連携サーバーへ一緒に伝送することを特徴とする、請求項６に記載の独立した網間のデータ共有のための網連携システム。
【請求項８】
前記第２網連携サーバーは、前記データを送受信する場合に、承認者ＤＢを参照して自動又は手動で承認を与える承認部をさらに含むことを特徴とする、請求項１に記載の独立した網間のデータ共有のための網連携システム。
【請求項９】
前記第２端末機は、前記第１端末機をネットワークドライブの形態として連結可能であり、前記第１端末機のフォルダとファイルの内容がＧＵＩ環境で出力され、
前記第１端末機は、前記第２端末機をネットワークドライブの形態として連結可能であり、前記第２端末機のフォルダとファイルの内容がＧＵＩ環境で出力されるため、
前記第１端末機と前記第２端末機との間でファイルをマウスでドラッグまたはコピーして転送させることが可能なインターフェースを提供することを特徴とする、請求項１に記載の独立した網間のデータ共有のための網連携システム。
【請求項１０】
前記第２網連携サーバー又は前記第１網連携サーバーは、前記第２端末機と前記第１端末機との間で少なくとも一つのファイルを転送する場合に、前記ファイルを所定の単位のデータに分け、前記分けられた所定の単位のデータを組み合わせて所定の再生成ファイルとして再生成して前記共有ストレージに伝送することを特徴とする、請求項９に記載の独立した網間のデータ共有のための網連携システム。
【請求項１１】
前記第２網連携サーバーまたは前記第１網連携サーバーは、前記再生成ファイルを再生成する作業を所定の時間単位で行うことを特徴とする、請求項１０に記載の独立した網間のデータ共有のための網連携システム。
【請求項１２】
前記第２網連携サーバーまたは前記第１網連携サーバーは、前記再生成ファイルを伝送するときにキュー(Queue)を用いることを特徴とする、請求項１１に記載の独立した網間のデータ共有のための網連携システム。
【請求項１３】
前記第２網連携サーバーと前記第１網連携サーバーは、前記共有ストレージを用いて共有されるクリップボードを生成又は管理することを特徴とする、請求項１に記載の独立した網間のデータ共有のための網連携システム。
【請求項１４】
前記第２端末機又は前記１端末機において任意のコピーショートカットキーを通じて前記クリップボードにデータがコピーされ、前記第１端末機または前記第２端末機において任意の貼り付けショートカットキーを通じて前記クリップボードからデータを貼り付けることを特徴とする、請求項１３に記載の独立した網間のデータ共有のための網連携システム。
【発明の詳細な説明】
【技術分野】
【０００１】
本発明は、独立した網間のデータ共有のための網連携システムに係り、より詳しくは、ネットワークが独立した環境で共有ストレージを用いてデータを共有することにより、独立した網間のメールの送受信、ファイルの送受信及びクリップボードの使用を容易にする、独立した網間のデータ共有のための網連携システムに関する。
【背景技術】
【０００２】
ネットワーク網はそれぞれ独立することができ、独立した網は第１網、第２網、第３網などのように多数個であってもよい。
【０００３】
ところが、第１網と第２網が独立した状態においては両網間でのメールの送受信は不可能であり、第１網で生成されたメールの内容とファイルは別途の記憶媒体を介して第２網へ移動されて業務を行わなければならない。特に、第１網で生成されたメールの内容が他の第３網とリンクされた場合、第２網での活用または閲覧は不可能となる。そして、第２網で生成されたメールを第１網で閲覧しようとする場合には、第２網から別途の携帯型記憶媒体を介して第１網へ移動させてメールを閲覧しなければならないという不便さがある。
【０００４】
また、第１網でデータをダウンロードして第２網で活用しようとする場合にも、別途の携帯型記憶媒体を介して第２網へ移動させなければならないという不便さがある。
【０００５】
一方、第１網のイメージ及びテキストは、別途の画面キャプチャーシステムを用いてファイルとして保存され、別途の携帯型記憶媒体を介して第２網へ移動されて活用されなければならないという不便さがある。
【０００６】
このように、ネットワーク網が独立した環境での２網間のデータ移動のためには、別途の携帯型記憶媒体を使用しなければならず、記憶媒体の搬出入統制や非認可記憶媒体の使用統制などの管理手続きが伴う。また、データの記憶及び移動が全面的にユーザーの判断に基づいて行われるので、ユーザーの不注意によるデータの流出の可能性がある。さらに、長期間の記憶媒体の使用による磨耗や破損などにより重要な業務データが損失するおそれもある。
【０００７】
その上、ネットワーク網が独立した環境で、独立した２網間では画面キャプチャー、キーロギング(key
logging)などが遮断され、データに対して２網間でのドラッグ  アンド  ドロップ(drag &
drop)、コピー  アンド  貼り付け(copy & paste)などが遮断されるから、使用上の不便さがある。
【発明の概要】
【発明が解決しようとする課題】
【０００８】
本発明は、上述した問題点を解決するために創出されたもので、その目的は、ネットワーク網が独立した環境で共有ストレージを用いてデータを共有することにより、携帯型記憶媒体の使用による不便さを解消し、独立した２網間でのメールの送受信、ファイルの送受信およびクリップボードの使用を容易にする、独立した網間のデータ共有のための網連携システムを提供することにある。
【課題を解決するための手段】
【０００９】
上記目的を達成するための本発明に係る独立した網間のデータ共有のための網連携システムは、第１網に接続されて前記第１網で使用される第１端末機と、共有ストレージと前記第１端末機との間に位置してデータを統制または送受信する第１網連携サーバーと、第２網に接続されて前記第２網で使用される第２端末機と、前記共有ストレージと前記第２端末機との間に位置してデータを統制又は送受信する第２網連携サーバーと、一つの記憶空間を前記第１網連携サーバー及び前記第２網連携サーバーにより共有される共有ストレージとを含んでなる。
【００１０】
この際、前記共有ストレージは、前記第１網連携サーバーと前記第２網連携サーバー別に読み取り及び書き込みの権限が異なる少なくとも２つのボリュームで構成できる。
【００１１】
また、本発明に係る独立した網間のデータ共有のための網連携システムは、前記第１端末機が受信したメールをｅｍｌファイル（ａ）に変換して前記第１網連携サーバーへ伝送する第１網メールサーバーと、前記第２端末機が発信するメールをｅｍｌファイル（ｂ）に変換及び保存して前記第２網連携サーバーへ伝送する第２網メールサーバーとをさらに含むことができる。
【００１２】
また、前記第１網メールサーバーは、前記受信したメールのうち、既に指定されたメールのみを前記第１網連携サーバーへ伝送することができる。
【００１３】
また、前記第１網連携サーバーは、前記ｅｍｌファイル（ａ）を前記第２網連携サーバーへ伝送し、前記第２網連携サーバーは、前記ｅｍｌファイル（ａ）をＳＭＴＰ(Simple Mail Transfer Protocol)を用いて前記ｅｍｌファイル（ａ）を前記第２網メールサーバーへ伝送することができる。
【００１４】
また、前記第１網メールサーバーは、前記ｅｍｌファイル（ａ）のレンダリングイメージ(rendering
image)をＰＤＦファイルに変換し、前記ＰＤＦファイルを前記ｅｍｌファイル（ａ）に添付して前記第１網連携サーバーへ一緒に伝送することができる。
【００１５】
また、前記第２網連携サーバーは、前記ｅｍｌファイル（ｂ）を前記第１網連携サーバーへ伝送し、前記第１網連携サーバーは、ＳＭＴＰを用いて前記ｅｍｌファイル（ｂ）を前記第１網メールサーバーへ伝送することができる。
【００１６】
また、前記第２網メールサーバーは、前記ｅｍｌファイル（ｂ）のレンダリングイメージをＰＤＦファイルに変換し、前記ＰＤＦファイルを前記ｅｍｌファイル（ｂ）に添付して前記第２網連携サーバーへ一緒に伝送することができる。
【００１７】
また、前記第２網連携サーバーは、前記データを送受信する場合に、承認者ＤＢを参照して自動又は手動で承認を与える承認部をさらに含むことができる。
【００１８】
また、前記第２端末機は、前記第１端末機をネットワークドライブの形態として連結可能であり、前記第１端末機のフォルダとファイルの内容がＧＵＩ環境で出力され、前記第１端末機は、前記第２端末機をネットワークドライブの形態として連結可能であり、前記第２端末機のフォルダとファイルの内容がＧＵＩ環境で出力されるため、前記第１端末機と前記第２端末機の間でファイルをマウスでドラッグまたはコピーして転送させることが可能なインターフェースを提供することができる。
【００１９】
また、前記第２網連携サーバー又は前記第１網連携サーバーは、前記第２端末機と前記第１端末機の間で少なくとも一つのファイルを転送する場合に、前記ファイルを所定の単位のデータに分け、前記分けられた所定の単位のデータを組み合わせて所定の再生成ファイルとして再生成して前記共有ストレージに伝送することができる。この際、前記再生成ファイルを再生成する作業を所定の時間単位で行い、前記再生成ファイルを伝送するときにキュー(Queue)を用いることができる。
【００２０】
また、前記第２網連携サーバーと前記共有ストレージ間、または前記共有ストレージと前記第１網連携サーバー間のデータ送受信は、専用転送プロトコルを使用することができる。
【００２１】
また、前記第２網連携サーバーと前記第１網連携サーバーは、前記共有ストレージを用いて共有されるクリップボードを生成又は管理し、前記第２端末機又は前記１端末機において任意のコピーショートカットキーを通じて前記クリップボードにデータがコピーされ、前記第１端末機または前記第２端末機において任意の貼り付けショートカットキーを通じて前記クリップボードからデータを貼り付けることができる。この際、前記クリップボードの内容はコピーを行う側の前記共有ストレージボリュームにのみ存在することができる。
【発明の効果】
【００２２】
本発明に係る独立した網間のデータ共有のための網連携システムによれば、次の効果がある。
一、独立した網間のデータ共有のために別途の携帯型記憶媒体を使用しなくてもよいため、便宜性が増大する。
二、独立した網間のメール送受信の際に自動でメールを変換して伝送することにより、保安上の危険がない。
三、独立した網間のファイル伝送の際に多数の端末機が同時に接続して伝送しても、効率よく処理することができるため、サーバーに負荷がなく、共有ストレージの品質を高めることができる。
四、独立した網間でクリップボードを使用することができるため、無駄な作業を行う必要がない。
【図面の簡単な説明】
【００２３】
【図１】本発明に係る独立した網間のデータ共有のための網連携システムの構成図である。
【図２】共有ストレージを用いてデータを伝送する実施例を示す。
【図３】本発明に係るメールの送受信機能が付加された、独立した網間のデータ共有のための網連携システムの構成図である。
【図４】本発明に係る独立した網間のデータ共有のための網連携システムでメールを送受信する実施例を示す。
【図５】本発明に係る第１網から第２網へデータが伝送される流れを示す。
【図６】本発明に係る第２網から第１網へデータが伝送される流れを示す。
【図７】本発明に係る任意のコピーショートカットキーを通じてクリップボードへのコピーを行う実施例を示す。
【図８】本発明に係る任意の貼り付けショートカットキーを通じてクリップボードからの貼り付けを行う実施例を示す。
【発明を実施するための形態】
【００２４】
以下、添付図面を参照して、本発明に係る好適な実施例を詳細に説明する。これに先立ち、本明細書および請求の範囲に使用された用語または単語は、通常的または辞典的な意味に限定して解釈されてはならず、発明者が自分の発明を最善の方法で説明するために用語の概念を適切に定義することができるという原則に基づき、本発明の技術的思想に符合する意味と概念で解釈されなければならない。
【００２５】
したがって、本明細書に記載された実施例と図面に示された構成は、本発明の最も好適な一実施例に過ぎず、本発明の技術的思想をすべて代弁するものではないので、本出願時点においてこれらを代替し得る様々な均等物と変形例があり得るのを理解すべきである。
【００２６】
本発明は、独立した網間のデータ共有のための網連携システムに関するもので、ネットワーク網が独立した環境で共有ストレージを用いてデータを共有することにより、独立した網間のメールの送受信、ファイルの送受信及びクリップボードの使用を容易にする、独立した網間のデータ共有のための網連携システムに関するものである。
【００２７】
本発明において、第１網及び第２網は、独立した別途のネットワーク網を意味するもので、特定のネットワークに限定されず、独立しているネットワーク網であれば十分である。
【００２８】
図１は本発明に係る独立した網間のデータ共有のための網連携システムの構成図である。図１に示すように、独立した網間のデータ共有のための網連携システムは、第１網に接続されて前記第１網で使用される第１端末機１００と、共有ストレージ３００と前記第１端末機１００との間に位置してデータを統制または送受信する第１網連携サーバー１１０と、第２網に接続されて前記第２網で使用される第２端末機２００と、前記共有ストレージ３００と前記第２端末機２００との間に位置してデータを統制または送受信する第２網連携サーバー２１０と、１つの記憶空間を前記第１網連携サーバー１１０と前記第２網連携サーバー２１０が共有する共有ストレージ３００とを含む。
【００２９】
図２は共有ストレージを用いてデータを伝送する実施例を示す。図２に示すように、前記共有ストレージ３００は、１つの記憶空間を多数のサーバーが共有することが可能な機能を支援し、前記第１網連携サーバー１１０と前記第２網連携サーバー２１０の読み取り及び書き込みの権限が異なる少なくとも２つのボリュームで構成される。このような前記共有ストレージ３００の記憶空間に対する読み取り及び書き込み権限の制御により、データの一方向性及び網間の独立性が保障される効果が提供される。その他に、データ搬入時に悪性コードを検査する機能及びデータ搬出時に付加されたファイルの有無を確認する機能を追加することもできる。
【００３０】
図３は本発明によってメールの送受信機能が付加された、独立した網間のデータ共有のための網連携システムの構成図である。図３に示すように、本発明に係る独立した網間のデータ共有のための網連携システムは、前記第１端末機１００が受信したメールをｅｍ１ファイル（ａ）に変換して前記網連携サーバー１１０へ伝送する第１網メールサーバー１２０と、前記第２端末機２００が発信したメールをｅｍｌファイル（ｂ）に変換及び保存して前記第２網連携サーバー２１０へ伝送する第２網メールサーバー２２０とをさらに含むことができる。
【００３１】
図４は本発明に係る独立した網間のデータ共有のための網連携システムでメールを送受信する実施例を示す。図４を参照して、第２網と第１網間のメールの送受信プロセスをさらに詳しく説明する。
【００３２】
まず、第３網で生成されたメールを第１網から第２網へ伝送する過程を説明する。前記第１網メールサーバー１２０が第３網からメールを受信すると（ｉ）、前記第１端末機１００により第２網へ送信するためにメールが予め指定されるかが選択される（ｉｉ）。それにより、前記第１網メールサーバー１２０は、前記受信したメールのうち、既に指定されたメールのみを前記第１網連携サーバー１１０へ伝送するが、この際、前記受信したメールをｅｍｌファイル（ａ）に変換して伝送する（ｉｉｉ）。前記第１網連携サーバー１１０は前記共有ストレージ３００を用いて前記ｅｍｌファイル（ａ）を前記第２網連携サーバー２１０へ伝送し（ｉｖ）、前記第２網連携サーバー２１０は前記ｅｍｌファイル（ａ）をＳＭＴＰ(Simple Mail Transfer Protocol)を用いて前記第２網メールサーバー２２０へ伝送し（ｖ）、前記第２網メールサーバー２２０は前記伝送されたメールを第２端末機２００へ伝送することでユーザーに伝達する（ｖｉ）。勿論、このような過程は、第１網からメールを受信して第２網へ伝送すること以外に、ユーザーが第１網から第２網へメールを伝送することも含む。
【００３３】
この際、前記第１網メールサーバー１２０は、前記ｅｍｌファイル（ａ）のレンダリングイメージ(rendering
image)をＰＤＦファイルに変換し、前記ＰＤＦファイルを前記ｅｍｌファイル（ａ）に添付して前記第１網連携サーバー１１０へ一緒に伝送することができる。ｅｍｌファイルは、他のネットワーク網へのリンクが含まれていること、或いはイメージファイルが添付されていることがあるため、網が変わる場合にファイルが壊れるか或いはその内容をすべて表示し得なくなることが多い。よって、そのような問題点を解決するために、ｅｍｌファイル（ａ）のレンダリングイメージをＰＤＦファイルに変換して添付することにより、壊れるか或いはリンクされない問題点が解決し、全文が見られるようになる。レンダリングは光源・位置・色相などの外部情報を考慮しながら事実感を与える過程を意味するコンピューターグラフィックス用語であり、レンダリングイメージはレンダリング処理が施されたイメージを意味する。イメージファイルの添付がない場合であれば、文字のみをＰＤＦファイルに変換すればよいが、文字以外に絵などのイメージを含む場合には、事実的に伝達するためにレンダリング過程を経てＰＤＦに変換することが好ましい。また、前記実施例では、前記第１網メールサーバー１２０がＰＤＦファイルへの変換を行ったが、別途のＰＤＦ変換サーバーを備えることもできる。ＰＤＦ変換サーバーを別途備える場合、他の網へ送付すべきメールを第１網連携サーバー１１０から前記共有ストレージ３００へ伝送する前に、ＰＤＦ変換サーバーでｅｍｌファイル（ａ）をＰＤＦファイルに変換し、前記ＰＤＦファイルを前記ｅｍｌファイル（ａ）に添付して前記共有ストレージ３００へ伝送するように実現することができ、この他に、設計変更可能な範囲をすべて含む。
【００３４】
次に、第２網でメールを生成して第１網へ伝送する過程である。第２端末機２００でメールが作成されて発送されると（ｖｉｉ）、該当メールが第２網用メールであるか第１網用メールであるかが判断される。判断結果、第１網へ発送される第１網用メールであれば、前記第２網連携サーバー２１０は発送メールをｅｍｌファイル（ｂ）に変換して（ｖｉｉｉ）前記共有ストレージ３００を用いて前記第１網連携サーバー１１０へ伝送する（ｉｘ）。前記第１網連携サーバー１１０はＳＭＴＰを用いて前記ｅｍｌファイル（ｂ）を前記第１網メールサーバー１２０へ伝送し（ｘ）、前記第１網メールサーバー１２０は第１網へメールを送信する（ｘｉ）。
【００３５】
この際にも、前記第２網メールサーバー２２０は、前記ｅｍｌファイル（ｂ）のレンダリングイメージをＰＤＦファイルに変換し、前記ＰＤＦファイルを前記ｅｍｌファイル（ｂ）に添付して前記第２網連携サーバー２１０へ一緒に伝送することができる。これについては上述したのと同様である。
【００３６】
また、ｅｍｌファイルは、ＷＩＮＤＯＷＳ（登録商標） Ｍａｉｌ及びＯＵＴＬＯＯＫ（登録商標） Ｅｘｐｒｅｓｓで読み取ることが可能なファイルであり、必ずしもｅｍｌファイル形式に限定されるものではなく、Ｏｆｆiｃｅ ＯＵＴＬＯＯＫ（登録商標）で開いて読み取ることが可能なｍｓｇファイルなどでも構わない。
【００３７】
一方、本発明に係る独立した網間のデータ共有のための網連携システムの第２網連携サーバー２１０は、承認部（図示せず）をさらに含むことができる。すなわち、データを送受信する場合、メールを含むデータが他の網に対して送受信される際に、承認者ＤＢを参照して自動または手動で承認を受けることを必要とする場合が多い。したがって、承認部は、前記承認者ＤＢに、データ種類別に承認が必要な承認者リストを格納しておき、データ送受信の際に承認を与えるようにする。但し、データが送受信される度にオンラインまたはオフライン上で承認を受けるように手動承認を設定することもできるが、反復的な作業の場合に、自動承認をチェックしておけば自動で承認を受けるものとして取り扱われるようにすることができる。
【００３８】
図５は本発明に係る第１網から第２網へデータが伝送される流れを示す。図５に示すように、第１網から第２網へのデータ伝送の際に、第１端末機１００から第１網連携サーバー１１０へ、また前記第１網連携サーバー１１０から前記第１網転送統制サーバーへデータが伝送される（ｉ）。前記第１網転送統制サーバーを介して共有ストレージ３００にデータが書き込まれると（ｉｉ）、前記第２網転送統制サーバーは前記共有ストレージ３００からデータを読み込み（ｉｉｉ）、前記第２網連携サーバー２１０へ伝送し（ｉｖ）、前記第２網連携サーバー２１０はデータを第２端末機２００へ伝送する。
【００３９】
図６は本発明に係る第２網から第１網へデータが伝送される流れを示す。図６に示すように、第２網から第１網へのデータ伝送の際に、第２端末機２００から第２網連携サーバー２１０へ、また前記第２網連携サーバー２１０から第２網転送統制サーバーへデータが伝送される（ｉ）。第２網転送統制サーバーを介して共有ストレージ３００にデータが書き込まれると（ｉｉ）、前記第１網転送統制サーバーは前記共有ストレージ３００からデータを読み込み（ｉｉｉ）、前記第１網連携サーバー１１０へ伝送し（ｉｖ）、前記第１網連携サーバー１１０はデータを第１端末機１００へ伝送する。
【００４０】
但し、このように第２網と第１網との間でデータを伝送するとき、前記第１端末機１００は前記第２端末機２００をネットワークドライブの形態として連結可能である。すなわち、前記第２端末機２００のフォルダとファイルの内容がＧＵＩ(Graphical User Interface)環境で出力され、前記第１端末機１００から前記第２端末機２００へファイルをマウスでドラッグまたはコピーして伝送させることが可能なインターフェースを提供する。これは前記第２端末機２００から前記１端末機１００へデータを伝送する際にも同様である。すなわち、第２端末機２００からも前記第１端末機１００をネットワークドライブの形態として連結することが可能であり、伝送しようとするファイルをマウスでドラッグまたはコピーして伝送させることが可能なインターフェースを提供する。
【００４１】
勿論、このようなインターフェースにより、ユーザーは第２端末機２００から第１端末機１００へ、または第１端末機１００から第２端末機２００へファイルが直ちに伝送されるものと認知するが、ファイルが伝送される過程は図５及び図６に示した過程に従う。
【００４２】
但し、データが伝送されるときに複数の第２端末機２００が同時にデータを伝送しようとする場合、同時接続者の数が多くなるため第２網連携サーバー２１０に負荷が生じ、共有ストレージ３００の品質が低下するという問題点がある。したがって、前記第２網連携サーバー２１０は、前記第２端末機２００から少なくとも１つのファイルを伝送する場合に、前記ファイルを所定の単位のデータに分け、分けられた所定の単位のデータを組み合わせて所定の再生成ファイルとして再生成し、それを前記共有ストレージ３００へ伝送することにより、そのような問題点を解決する。
【００４３】
このようにファイルを再生成する作業を所定の時間単位で行い、前記再生成されたファイルをキュー(Queue)を用いて順次伝送することにより、前記第２網連携サーバー２１０の負荷が抑止され、前記共有ストレージ３００の品質を改善することができる。
【００４４】
すなわち、複数の第２端末機２００から同時に多数のファイルが伝送される場合、各ファイルは一定サイズの単位のデータに分けられ、分けられた一定サイズの単位のデータが組み合わさることで再生性ファイルが新しいファイルとして再生成されるので、前記再生成ファイルは多数のファイルの分けられた一定サイズの単位のデータが組み合わされることで生成される。
【００４５】
前記第１網連携サーバー１１０から前記第２端末機２００へのデータ伝送の際にも同一の過程を経て伝送が行われる。また、ファイルを受信する場合には、前記再生成したファイルをさらに元来のファイルに復旧する作業が行われるべきである。復旧する作業は、前記第２網転送統制サーバーと前記第１網転送統制サーバーを介して行うようにすることが好ましい。さらに、転送統制サーバーを別途備えることなく第１網連携サーバー１１０と第２網連携サーバー２１０で復旧する作業を行うことができるのは勿論である。
【００４６】
一方、上述したように第１網と第２網との間でデータを送受信する場合、共有ストレージ３００を経て送受信が行われる。すなわち、互いに異なる網は、共有ストレージ３００を介して接続される。よって、前記第２網連携サーバー２１０及び前記第１網連携サーバー１１０と前記共有ストレージ３００との間のデータの送受信は専用転送プロトコルが使用されることが好ましい。前記専用転送プロトコルは、前記第１網または第２網内で使用されるプロトコルと区分するためのもので、第１網または第２網で使用するプロトコルと同一でなければ、その種類は特定のものに限定されない。
【００４７】
一方、前記第２網連携サーバー２１０と前記第１網連携サーバー１１０は、前記共有ストレージ３００を用いて共有されるクリップボード(clipboard)を生成または管理することができる。クリップボードは、切り取って貼り付ける過程によって文書または応用プログラムの間でデータが伝送されるときに短時間で該当データを記憶することに用いられるソフトウェアプログラムのことをいうが、一般に第１網及び第２網のように独立したネットワーク網間では支援されない。このため、本発明は、共有ストレージ３００にクリップボードの内容を記憶することにより、第１網と第２網との間でクリップボードを支援する。
【００４８】
例えば、前記第２端末機２００で任意のコピーショートカットキー（例えば、Ｃｔｒｌ＋Ｃ）を通じて前記クリップボードにコピーすると、前記第１端末機で任意の貼り付けショートカットキー（例えば、Ｃｔｒｌ＋Ｖ）を通じて前記クリップボードの内容を貼り付けることができる。図７は本発明に係る任意のコピーショートカットキーを通じてクリップボードにデータをコピーする実施例を示す。図７を参照して、クリップボードへのコピーを行う実施例を詳細に説明する。
【００４９】
まず、前記第２端末機２００において任意のコピーショートカットキーを通じてクリップボードにコピーがされると（Ｓ１０）、前記第２端末機２００のクリップボードエージェントは、システムクリップボードを確認し、クリップボードデータが存在するか否かを確認する（Ｓ２０）。確認の結果、クリップボードデータがない場合には、クリップボードデータがないことをポップアップによって知らせるが（Ｓ３０）、ポップアップによる別途の知らせをしなくても構わない。また、クリップボードデータがある場合には、前記クリップボードエージェントはクリップボードデータをファイルとして保存して（Ｓ４０）、第２網連携サーバー２１０へ伝送する。伝送されたファイルは共有ストレージ３００を介して第１網連携サーバー１１０へ伝送され、第１端末機１００のクリップボードエージェントは記憶されたファイルをクリップボード専用データに変換して（Ｓ５０）、第１端末機１００のシステムクリップボードに記憶させる。したがって、第１端末機１００でコピーしておいたクリップボードデータの貼り付けが可能になる。
【００５０】
図８は本発明に係る任意の貼り付けショートカットキーを通じてクリップボードからデータを貼り付ける実施例を示す。図８を参照して、クリップボードからの貼り付けを行う実施例を詳細に説明する。
【００５１】
まず、前記第２端末機２００で任意の貼り付けショートカットキーを実行すると（Ｓ１１０）、前記第２端末機２００のクリップボードエージェントは、システムクリップボードを確認し、クリップボードデータが存在するか否かを確認する（Ｓ１２０）。図７のように貼り付けるデータがコピーショートカットキーを通じてクリップボードに既に記憶されている場合もあるが、クリップボードデータがない場合には、前記第２端末機２００のクリップボードエージェントは、クリップボード伝送要請（Ｓ１３０）を第２網連携サーバー２１０へ送る。この要請は共有ストレージ３００を介して第１網連携サーバー１１０へ伝送され、この要請を受信した前記第１端末機１００のクリップボードエージェントは第１端末機１００のシステムクリップボードを参照してクリップボードデータをファイルとして保存し（Ｓ１４０）、さらに第１網連携サーバー１１０へ伝送する。勿論、この際、第１端末機１００のシステムクリップボードにクリップボードデータがなければ、何にも実行されない。前記共有ストレージ３００を介して第２網連携サーバー２１０に伝送されたクリップボードデータファイルは、第２端末機２００のクリップボードエージェントを介してクリップボード専用データに変換され（Ｓ１５０）、クリップボードからの貼り付けが実行される（Ｓ１６０）。
【００５２】
前記実施例では第２端末機２００を基準として説明したが、前記第１端末機１００が第２端末機２００のクリップボードを利用することも同一である。但し、この際にも前記クリップボードの内容はコピーを行う側の共有ストレージ３００のボリュームにのみ存在するようにすることが好ましく、これによりクリップボードによる保安上の危険を防止することが可能となる。
【００５３】
上記では、２台の端末機を用いてネットワーク網を物理的に独立させた環境での実施例によって説明したが、本発明は、ネットワーク網が他の方法によって物理的に独立した場合だけでなく、論理的に独立した環境でも使用可能である。すなわち、物理的または論理的にネットワーク網が独立するとき、第１網と接続する機能を有する装置またはモジュールは本発明の第１端末機、第１網連携サーバー、第１網メールサーバーの役割を果たし、第２網と接続する装置またはモジュールは本発明の第２端末機、第２網連携サーバー、第２網連携サーバーの役割を果たすようにすればよい。
【００５４】
また、第１網と第２網のように独立したネットワーク網が多数存在してもよく、複数の独立したネットワーク網間のデータ共有においても同様に適用することができる。
【００５５】
以上、本発明を限定された実施例及び図面に基づいて説明したが、本発明はこれに限定されず、本発明の属する技術分野における通常の知識を有する者であれば、本発明の技術的思想と添付した請求の範囲の均等範疇内において多様な変形及び改良を加え得るのは勿論である。
【図１】
0005629022.tif 000002
【図２】
0005629022.tif 000003
【図３】
0005629022.tif 000004
【図４】
0005629022.tif 000005
【図５】
0005629022.tif 000006
【図６】
0005629022.tif 000007
【図７】
0005629022.tif 000008
【図８】
0005629022.tif 000009